(57)【要約】【課題】アドレス設定に要する時間を短縮する。【解決手段】通信部２２を介して親機１と通信に入れるか否かの監視をする監視機能と、操作部２１で初期操作入力があると、通信に入れる場合、通信部２２を介して自己のアドレス、通信要求を親機１に送信し、親機１から、自己のアドレス、許諾を受信すると、自己のアドレス、アドレス設定要求を親機１に送信するアドレス設定依頼機能とを副親機２に設けた。通信部１２を介して送信元のアドレス、通信要求を受信すると、送信元のアドレス、許諾の情報を送信する許諾機能と、通信部１２を介して送信元のアドレス、アドレス設定要求の情報を受信すると、送信元のアドレスをＲＯＭ１６に記憶設定するアドレス設定機能を親機１に設けた。【選択図】  図１
2004357245.tif 000002
【特許請求の範囲】
【請求項１】
信号送受信用の通信手段と、固有のアドレスを記憶するための記憶手段とを備えるとともに、自己の通信手段を介して、送信元から、その送信元のアドレスおよび通信要求の情報を受信すると、その送信元のアドレスおよび前記通信要求に対する許諾の情報を送信する許諾手段と、この許諾手段によって情報が送信された後、自己の通信手段を介して、前記送信元から、その送信元のアドレスおよびアドレス設定要求の情報を受信すると、前記送信元のアドレスを前記記憶手段に記憶設定するアドレス設定手段とを有する第１通信機器と、
操作入力用の操作部と、信号送受信用の通信手段と、製造時に付与される設備番号および製造日時を示す情報から得られ、自己の通信手段を介して送信される固有のアドレスの情報を記憶する記憶手段とを備えるとともに、自己の通信手段を介して前記第１通信機器と通信に入れるか否かの監視をする監視手段と、自己の操作部で初期操作入力があると、前記監視手段から通信に入れる監視結果が得られた後、自己の通信手段を介して、自己の記憶手段に記憶された自己のアドレスおよび通信要求の情報を前記第１通信機器に送信し、前記第１通信機器から、自己のアドレスおよび前記通信要求に対する許諾の情報を受信すると、自己のアドレスおよびアドレス設定要求の情報を前記第１通信機器に送信するアドレス設定依頼手段とを有する第２通信機器と
により構成されることを特徴とする通信システム。
【請求項２】
信号送受信用の通信手段と、固有のアドレスを記憶するための記憶手段とを備えるとともに、自己の通信手段を介して、送信元から、その送信元のアドレスおよび通信要求の情報を受信すると、その送信元のアドレスおよび前記通信要求に対する許諾の情報を送信する許諾手段と、この許諾手段によって情報が送信された後、自己の通信手段を介して、前記送信元から、その送信元のアドレスおよびアドレス設定要求の情報を受信すると、前記送信元のアドレスを前記記憶手段に記憶設定するアドレス設定手段とを有する第１通信機器と、
信号送受信用の通信手段と、製造時に付与される設備番号および製造日時を示す情報から得られ、自己の通信手段を介して送信される固有のアドレスの情報を記憶する記憶手段とを備えるとともに、一斉に電源が投入されると、自己のアドレスから得られる待ち時間の経過後に、自己の通信手段を介して、自己のアドレスおよび通信要求の情報を前記第１通信機器に送信し、前記第１通信機器から、自己のアドレスおよび前記通信要求に対する許諾の情報を受信すると、自己のアドレスおよびアドレス設定要求の情報を前記第１通信機器に送信するアドレス設定依頼手段とを有する第２通信機器と
により構成されることを特徴とする通信システム。
【請求項３】
前記第１通信機器は、自己の記憶手段から、順次、設定されたアドレスを読み出し、そのアドレスおよび応答要求の情報を、自己の通信手段を介して送信する応答要求手段と、この応答要求手段によって、自己の記憶手段から、設定されたアドレスが全て読み出されて送信された後に、前記応答要求の終了の情報を、自己の通信手段を介して同報通信で送信する応答要求終了通知手段とをさらに備え、
前記第２通信機器は、自己のアドレスおよび通信要求の情報の送信を、自己の通信手段を介して前記応答要求の終了の情報を受信した後であって、自己の操作部で初期操作入力があり、前記監視手段から通信に入れる監視結果が得られた後に行う
ことを特徴とする請求項１記載の通信システム。
【請求項４】
前記第２通信機器は、自己のアドレスに加えて、そのアドレスと代替される別の識別情報を呼称で自己の記憶手段に記憶していることを特徴とする請求項１から３のいずれかに記載の通信システム。
【発明の詳細な説明】
【０００１】
【発明の属する技術分野】
本発明は、アドレスを用いて通信をする第１通信機器および第２通信機器により構成される通信システムに関するものである。
【０００２】
【従来の技術】
従来、インタホンシステムは、親機に対して、副親機や子器などを伝送線路で接続することにより構成される。そして、親機、副親機および子器を個々に識別するため、それぞれに通信アドレスナンバーの識別情報（以下「アドレス」という）が付与されるようになっている。
【０００３】
アドレスは、施工時に、各機器に予め設けられたディップスイッチを操作することにより割り当てられる場合（以下「第１方式」という）がある。このほか、システムの初期起動時に、親機からの自動配信で副親機や子器に対してアドレスが順番に割り当てられる場合（以下「第２方式」という）もある。
【０００４】
なお、特許文献１には、カスケード接続された各ＨＵＢのポート毎に管理されている送信元アドレスの情報を元にネットワーク構成を自動認識できるようにしたネットワークの構成認識装置が開示されている。
【０００５】
また、特許文献２には、子機が端末の入電時に端末から固有の識別情報を入手し、その識別情報を基に仮アドレスを作り、この仮アドレスにより無線伝送エリアを管理している管理装置と交信して通信経路情報や無線伝送エリアの情報等を含むデータを入手し、そのデータを基に正式なアドレスを設定する構内情報通信方法が記載されている。
【０００６】
【特許文献１】
特開平５−１３６７９４号公報
【特許文献２】
特開平７−０２３０４７号公報
【０００７】
【発明が解決しようとする課題】
しかしながら、ディップスイッチを用いる第１方式では、施工時にアドレスの設定作業が必要となり、それにより人的誤りが発生し得るという問題がある。
【０００８】
この問題は、第２方式によって解決することができるが、親機からの自動配信によるアドレッシングを前提にしているため、アドレッシング通信開始からアドレッシング完了までにかかる時間が非常に長くなる問題がある。
【０００９】
本発明は、上記事情に鑑みてなされたものであり、アドレス設定に要する時間を短縮することが可能な通信システムを提供することを目的とする。
【００１０】
【課題を解決するための手段】
上記課題を解決するための請求項１記載の発明の通信システムは、信号送受信用の通信手段と、固有のアドレスを記憶するための記憶手段とを備えるとともに、自己の通信手段を介して、送信元から、その送信元のアドレスおよび通信要求の情報を受信すると、その送信元のアドレスおよび前記通信要求に対する許諾の情報を送信する許諾手段と、この許諾手段によって情報が送信された後、自己の通信手段を介して、前記送信元から、その送信元のアドレスおよびアドレス設定要求の情報を受信すると、前記送信元のアドレスを前記記憶手段に記憶設定するアドレス設定手段とを有する第１通信機器と、操作入力用の操作部と、信号送受信用の通信手段と、製造時に付与される設備番号および製造日時を示す情報から得られ、自己の通信手段を介して送信される固有のアドレスの情報を記憶する記憶手段とを備えるとともに、自己の通信手段を介して前記第１通信機器と通信に入れるか否かの監視をする監視手段と、自己の操作部で初期操作入力があると、前記監視手段から通信に入れる監視結果が得られた後、自己の通信手段を介して、自己の記憶手段に記憶された自己のアドレスおよび通信要求の情報を前記第１通信機器に送信し、前記第１通信機器から、自己のアドレスおよび前記通信要求に対する許諾の情報を受信すると、自己のアドレスおよびアドレス設定要求の情報を前記第１通信機器に送信するアドレス設定依頼手段とを有する第２通信機器とにより構成されることを特徴とする。
【００１１】
この構成では、初期操作入力をトリガとして、第１通信機器と第２通信機器との間で通信を行い、第２通信機器が、第１通信機器に対してアドレス設定要求をするとともに設定するべきアドレスを送信し、第１通信機器が、そのアドレス設定要求に応じて、第２通信機器からのアドレスを記憶設定するので、アドレス設定に要する時間を大幅に短縮することが可能となる。
【００１２】
請求項２記載の発明の通信システムは、信号送受信用の通信手段と、固有のアドレスを記憶するための記憶手段とを備えるとともに、自己の通信手段を介して、送信元から、その送信元のアドレスおよび通信要求の情報を受信すると、その送信元のアドレスおよび前記通信要求に対する許諾の情報を送信する許諾手段と、この許諾手段によって情報が送信された後、自己の通信手段を介して、前記送信元から、その送信元のアドレスおよびアドレス設定要求の情報を受信すると、前記送信元のアドレスを前記記憶手段に記憶設定するアドレス設定手段とを有する第１通信機器と、信号送受信用の通信手段と、製造時に付与される設備番号および製造日時を示す情報から得られ、自己の通信手段を介して送信される固有のアドレスの情報を記憶する記憶手段とを備えるとともに、一斉に電源が投入されると、自己のアドレスから得られる待ち時間の経過後に、自己の通信手段を介して、自己のアドレスおよび通信要求の情報を前記第１通信機器に送信し、前記第１通信機器から、自己のアドレスおよび前記通信要求に対する許諾の情報を受信すると、自己のアドレスおよびアドレス設定要求の情報を前記第１通信機器に送信するアドレス設定依頼手段とを有する第２通信機器とにより構成されることを特徴とする。
【００１３】
この構成では、一斉電源投入をトリガとして、第１通信機器と第２通信機器との間で通信を行い、第２通信機器が、第１通信機器に対してアドレス設定要求をするとともに設定するべきアドレスを送信し、第１通信機器が、そのアドレス設定要求に応じて、第２通信機器からのアドレスを記憶設定するので、アドレス設定に要する時間を短縮することが可能となる。
【００１４】
請求項３記載の発明は、請求項１記載の通信システムにおいて、前記第１通信機器は、自己の記憶手段から、順次、設定されたアドレスを読み出し、そのアドレスおよび応答要求の情報を、自己の通信手段を介して送信する応答要求手段と、この応答要求手段によって、自己の記憶手段から、設定されたアドレスが全て読み出されて送信された後に、前記応答要求の終了の情報を、自己の通信手段を介して同報通信で送信する応答要求終了通知手段とをさらに備え、前記第２通信機器は、自己のアドレスおよび通信要求の情報の送信を、自己の通信手段を介して前記応答要求の終了の情報を受信した後であって、自己の操作部で初期操作入力があり、前記監視手段から通信に入れる監視結果が得られた後に行うことを特徴とする。この構成では、第２通信機器は、応答要求の終了の情報を受信した場合に、その情報の受信前に自己のアドレスを第１通信機器から受信していなければ、自己のアドレスが第１通信機器に設定されていないことを認識することができるので、速やかにアドレスを設定するための動作に移ることが可能になる。
【００１５】
請求項４記載の発明は、請求項１から３のいずれかに記載の通信システムにおいて、前記第２通信機器は、自己のアドレスに加えて、そのアドレスと代替される別の識別情報を呼称で自己の記憶手段に記憶していることを特徴とする。この構成では、操作が簡単になる。
【００１６】
【発明の実施の形態】
（実施形態１）
図１は本発明による実施形態１の通信システムの一部を示す構成図、図２は同通信システムにおける親機の構成図、図３は同通信システムにおける副親機の構成図、図４は同通信システムにおける副親機にアドレス管理装置を接続した様子を示す図、図５は同アドレス管理装置の構成図、図６は本通信システムの一動作例を示す図である。
【００１７】
実施形態１の通信システムは、図１に示すように、親機１と複数の副親機２と少なくとも一つのテレビカメラ付きのドアホン子器（図示せず）とを、メタルケーブルまたは光ケーブルの伝送線で接続して構成されるインタホンシステムであり、製造時に付与される設備番号および製造日時（年月日、時刻）を示す情報から得られる固有のアドレスを使用することを特徴とする。なお、図１では、スター配線になっているが、送り配線バス接続形式でもよい。
【００１８】
以下、上記特徴にかかる親機１および副親機２について順次説明する。親機１は、図２に示すように、操作入力用の操作部１１と、端子Ｔ１１，Ｔ１２、これら端子に接続されるインタフェース１２１およびこれを介して信号を送受信する信号処理回路部１２２によりなる通信部１２と、マイク１３１、スピーカ１３２およびこれらを介して音声信号を入出力する音声処理回路部１３３によりなる音声入出力部１３と、映像処理（生成、加工、表示処理）用の映像処理回路部１４と、この映像処理回路部１４で処理された映像を表示する表示部１５とを従来の親機と同様に備えているほか、実施形態１の特徴として、ＲＯＭ１６と、制御部１０とを備えている。なお、商用電源を整流および平滑などして直流電力を得て各部に供給する直流電源などは図示省略してある。
【００１９】
ＲＯＭ１６は、読み書き可能な不揮発性メモリ（例えばＥＥＰＲＯＭなど）であり、本親機１用のプログラムおよび画像データなどを記憶しているほか、固有のアドレスを複数記憶するために使用される。
【００２０】
制御部１０は、ＣＰＵ１００、およびプログラム動作、画像データ記憶などに使用されるＲＡＭ１０１により構成され、本通信システム全般の制御などの処理を実行するものであり、各種処理機能を有している。例えば、通信部１２を介して、送信元から、その送信元のアドレスおよび通信要求の情報を受信すると、その送信元のアドレスおよび通信要求に対する許諾の情報を送信する許諾機能と、この許諾機能によって情報が送信された後、通信部１２を介して、上記送信元から、その送信元のアドレスおよびアドレス設定要求の情報を受信すると、その送信元のアドレスをＲＯＭ１６に記憶設定するアドレス設定機能と、このアドレス設定機能によって送信元のアドレスが記憶設定された後、通信部１２を介して、その送信元のアドレスおよび設定完了通知の情報を送信する設定完了通知機能とが具備される。
【００２１】
副親機２は、図３に示すように、操作入力用の操作部２１と、端子Ｔ２１，Ｔ２２、これら端子に接続されるインタフェース２２１およびこれを介して信号を送受信する信号処理回路部２２２によりなる通信部２２と、マイク２３１、スピーカ２３２およびこれらを介して音声信号を入出力する音声処理回路部２３３によりなる音声入出力部２３と、映像を表示する表示部２５とを従来の副親機と同様に備えているほか、実施形態１の特徴として、ＲＯＭ２６と、制御部２０とを備えている。なお、映像処理用の映像処理回路部、商用電源を整流および平滑などして直流電力を得て各部に供給する直流電源などは図示省略してある。
【００２２】
ＲＯＭ２６は、読み書き可能な不揮発性メモリであり、本副親機２用のプログラムおよび画像データなどを記憶しているほか、製造時に付与される設備番号および製造日時を示す情報から得られ、通信部２２を介して送信される固有のアドレスの情報を記憶している。
【００２３】
制御部２０は、ＣＰＵ２００、およびプログラム動作、画像データ記憶などに使用されるＲＡＭ（図示せず）により構成され、本副親機２全般の制御などの処理を実行するものであり、各種処理機能を有している。例えば、通信部２２を介して親機１と通信に入れるか否かの監視をする監視機能と、操作部２１で初期操作入力があると、監視機能から通信に入れる監視結果が得られた後、通信部２２を介して、ＲＯＭ２６に記憶された自己のアドレスおよび通信要求の情報を親機１に送信し、親機１から、自己のアドレスおよび通信要求に対する許諾の情報を受信すると、自己のアドレスおよびアドレス設定要求の情報を親機１に送信するアドレス設定依頼機能と、このアドレス設定依頼機能によって情報が送信された後、通信部２２を介して、親機１から、自己のアドレスおよび設定完了通知の情報を受信すると、その設定完了通知の情報をＲＯＭ２６に記憶する設定完了機能とが具備される。
【００２４】
ここで、副親機２のインタフェース２２１には、ＲＯＭ２６にアドレスを記憶する場合に、図４，図５に示すように、アドレス管理装置４を接続するための端子（例えばＴ２１）が、親機１および図示しないドアホン子器を接続するための端子（Ｔ１２）とは別に設けられている。
【００２５】
アドレス管理装置４は、検査装置であり、操作入力用の操作部４１と、端子Ｔ４、この端子に接続されるインタフェース４２１およびこれを介して信号を送受信する信号処理回路部４２２によりなる通信部４２と、映像を表示する表示部４５と、本アドレス管理装置４のプログラムおよび設備番号などを記憶しているＲＯＭ４６と、実時間（製造日時）計測用のリアルタイムクロック４７とを備えているほか、制御部４０を備えている。なお、映像処理用の映像処理回路部、商用電源を整流および平滑などして直流電力を得て各部に供給する直流電源などは図示省略してある。
【００２６】
制御部４０は、ＣＰＵ４００および図示しないＲＡＭにより構成され、検査などの処理を実行するものであり、製造時、端子Ｔ４に接続された機器に対して、各種検査を実行するほか、検査完了後に、設備番号および製造日時を示す情報から得られる固有のアドレス（製造シリアル番号）を記憶設定する。ここで、アドレス（製造シリアル番号）は、設備番号および製造日時を示す情報を所定の変換式に通して得られる。
【００２７】
このような構成のアドレス管理装置４によって、製造時にアドレスがＲＯＭ２６に記憶される。つまり、製造時に、図４に示すように、副親機２とアドレス管理装置４とが、メタルケーブルまたは光ケーブルの伝送線で接続され、検査完了後、アドレス管理装置４によって、当該アドレス管理装置４の設備番号および製造日時を示す情報から得られる固有のアドレスが、副親機２のＲＯＭ２６内に記憶設定されるのである。
【００２８】
次に、実施形態１の特徴となる副親機２に対するアドレス自動設定の動作について、図６を参照しながら説明する。ただし、通信はポーリング／セレクティング方式で行われるとして、その概略を説明する。
【００２９】
例えば、施工後の副親機２において、操作部２１で初期操作入力（例えば電源投入操作入力）があったか否かの判定が行われる（Ｓ１１）。この判定は、例えば、ＲＯＭ２６に設定完了通知の情報が記憶されているか否かを見ることで行われる。設定完了通知の情報が記憶されていれば、初期操作入力でないと判定され（Ｓ１１で無）、本アドレス自動設定の動作が終了する。一方、設定完了通知の情報が記憶されていなければ、初期操作入力であると判定され（Ｓ１１で有）、監視機能から通信に入れる監視結果が得られた後（Ｓ１２で可）、通信部２２を介して、ＲＯＭ２６に記憶された自己のアドレスおよび通信要求の情報が親機１に送信される（Ｓ１３）。なお、他の副親機２（図示しないドアホン子器も）では、この監視機能で通信に入れる監視結果が得られなくなるため、本アドレス自動設定の動作が終了するまで待機状態となる。
【００３０】
その後、親機１において、通信部１２を介して、送信元（副親機２）から、その送信元のアドレスおよび通信要求の情報が受信されると、その送信元のアドレスおよび通信要求に対する許諾の情報が送信される（Ｍ１５）。
【００３１】
この後、副親機２において、通信部２２を介して、親機１からの自己のアドレスおよび通信要求に対する許諾の情報が受信されると、自己のアドレスおよびアドレス設定要求の情報が親機１に送信される（Ｓ１４）。
【００３２】
この後、親機１において、通信部１２を介して、上記送信元から、送信元のアドレスおよびアドレス設定要求の情報が受信されると、送信元のアドレスがＲＯＭ１６に記憶設定される（Ｍ１６）。続いて、送信元のアドレスおよび設定完了通知の情報が送信される（Ｍ１７）。
【００３３】
この後、副親機２において、通信部２２を介して、親機１からの自己のアドレスおよび設定完了通知の情報が受信されると、その設定完了通知の情報がＲＯＭ２６に記憶される（Ｓ１５）。これにより、本アドレス自動設定の動作が終了する。
【００３４】
以上のように、初期操作入力をトリガとして、親機１と副親機２との間で通信を行い、副親機２が、親機１に対してアドレス設定要求をするとともに設定するべきアドレスを送信し、親機１が、そのアドレス設定要求に応じて、副親機２からのアドレスを記憶設定するので、アドレス設定に要する時間を大幅に短縮することが可能となる。
【００３５】
また、検査装置のアドレス管理装置４と同様に構成され、検査装置とは逆に、副親機２から、ＲＯＭ２６内に記憶されたアドレスなどを読み出す管理装置を通信システムに設ければ、アドレスから製造日時等が分かるので、メンテナンスに利用することができる。また、ＲＯＭ２６に記憶されたプログラムのバージョン情報や、顧客情報などを管理装置のＲＯＭに記憶することにより、顧客管理が可能になる。このほか、機器の台数など、システム規模の把握も可能となる。
【００３６】
なお、副親機１も親機１のアドレスを使用しなければならない場合には、例えば、製造時に割り当てる各親機１のアドレスを共通にしておけば、上記と同様の効果が得られる。
【００３７】
（実施形態２）
図７は本発明による実施形態２の通信システムの一動作例を示す図である。
【００３８】
本発明による実施形態２の通信システムは、ＲＯＭ２６に記憶されているプログラムと、制御部２０の一部処理機能とが実施形態１と相違し、システム電源に各機器を接続するかブレーカを利用するかなどして、各機器の電源を一斉に投入することができるようになっており、初期操作入力をトリガとするのではなく、一斉電源投入をトリガとすることを特徴とする。
【００３９】
すなわち、実施形態２の制御部２０は、実施形態１のアドレス設定依頼機能に代えて、一斉に電源が投入されると、自己のアドレスから得られる待ち時間の経過後に、通信部２２を介して、自己のアドレスおよび通信要求の情報を親機１に送信し、親機１から、自己のアドレスおよび上記通信要求に対する許諾の情報を受信すると、自己のアドレスおよびアドレス設定要求の情報を親機１に送信するアドレス設定依頼機能を有している。
【００４０】
次に、実施形態２の特徴となる副親機２に対するアドレス自動設定の動作について、図７を参照しながら説明する。ただし、通信は例えばコンテンション方式で行われ、親機１のＲＯＭ１６には、製造時に他の親機１と共通のアドレスが記憶設定され、各副親機２（ドアホン子器も）のＲＯＭ２６にもその親機１のアドレスが記憶設定されるとして、その概略を説明する。
【００４１】
施工後、一斉に電源が投入されると（＃２０）、各副親機２において、自己のアドレスが親機１に登録済みであるか否かの判定が行われる（Ｓ２１）。この判定は、例えば、ＲＯＭ２６に設定完了通知の情報が記憶されているか否かを見ることで行われる。設定完了通知の情報が記憶されていれば、登録（設定）済みであると判定され（Ｓ２１でＹｅｓ）、当該副親機２のアドレス自動設定の動作が終了する。一方、設定完了通知の情報が記憶されていなければ、登録済みでないと判定され（Ｓ２１でＮｏ）、自己のアドレスから得られる待ち時間の経過後であって（Ｓ２２）、監視機能から通信に入れる監視結果が得られた後（Ｓ２３で可）、通信部２２を介して、ＲＯＭ２６に記憶された自己のアドレスおよび通信要求の情報が、親機１に送信、つまり親機１のアドレスとともに送信される（Ｓ２４）。ここで、他の副親機２（図示しないドアホン子器も）では、待ち時間の経過待ちとなるか、登録済みとなるとともに、監視機能で通信に入れる監視結果が得られなくなるため、当該副親機２のアドレス自動設定の動作が終了するまで待機状態となる。
【００４２】
その後、親機１において、通信部１２を介して、送信元（副親機２）から、その送信元のアドレスおよび通信要求の情報が受信されると、その送信元のアドレスおよび通信要求に対する許諾の情報が送信される（Ｍ２１）。
【００４３】
この後、副親機２において、通信部２２を介して、親機１からの自己のアドレスおよび通信要求に対する許諾の情報が受信されると、自己のアドレスおよびアドレス設定要求の情報が親機１に送信される（Ｓ２５）。
【００４４】
この後、親機１において、通信部１２を介して、上記送信元から、送信元のアドレスおよびアドレス設定要求の情報が受信されると、送信元のアドレスがＲＯＭ１６に記憶設定される（Ｍ２２）。続いて、送信元のアドレスおよび設定完了通知の情報が送信される（Ｍ２３）。
【００４５】
この後、副親機２において、通信部２２を介して、親機１からの自己のアドレスおよび設定完了通知の情報が受信されると、その設定完了通知の情報がＲＯＭ２６に記憶される（Ｓ２６）。これにより、当該副親機２のアドレス自動設定の動作が終了し、他の副親機２のアドレス自動設定の動作が、上記と同様に順次繰り返し実行される。
【００４６】
以上のように、一斉電源投入をトリガとして、親機１と副親機２との間で通信を行い、副親機２が、親機１に対してアドレス設定要求をするとともに設定するべきアドレスを送信し、親機１が、そのアドレス設定要求に応じて、副親機２からのアドレスを記憶設定するので、アドレス設定に要する時間を短縮することが可能となる。
【００４７】
なお、待ち時間の算出については、一の副親機２のアドレス自動設定の動作時間から予め設定されそれよりも長い単位動作時間を、第０単位動作時間から第ｎ単位動作時間に連続して並べた場合に、そのいずれかの単位動作時間の開始時点直前に終了するような待ち時間を、アドレスを引数とする所定の演算式を用いて算出するようにしてもよい。これにより、遅くとも第ｎ単位動作時間の終了時点で、全体のアドレス自動設定の動作を完了させることができる。例えば、第０単位動作時間から第９単位動作時間にする場合、アドレスの下１桁が、０であれば第０単位動作時間の直前に終了する待ち時間を割り当て、アドレスの下１桁が、１であれば第１単位動作時間の直前に終了する待ち時間を割り当て、以下同様に割り当てるようにする。この場合、副親機の台数が１０台以下なら、シリアル番号が連続するものを納品することにより、衝突が生じないことになる。また、ある単位動作時間で衝突が生じた場合でも、ほとんどのアドレス設定が完了していることを期待できるので、衝突が生じた副親機に対して、本来の通信方式（上記実施形態２ではコンテンション方式）でアドレスを登録するようにしても、それほど時間をかけることなく、全てのアドレス設定を速やかに完了させることができる。
【００４８】
（実施形態３）
図８は本発明による実施形態３の通信システムの一動作例を示す図である。
【００４９】
本発明による実施形態３の通信システムは、実施形態１との相違点として、親機１の制御部１０が、ＲＯＭ１６から、順次、設定されたアドレスを読み出し、そのアドレスおよび応答要求の情報を、通信部１２を介して送信する応答要求機能と、この応答要求機能によって、ＲＯＭ１６から、設定されたアドレスが全て読み出されて送信された後に、上記応答要求の終了の情報を、通信部１２を介して同報通信で送信する応答要求終了通知機能とをさらに有し、副親機２の制御部２０のアドレス設定依頼機能が、自己のアドレスおよび通信要求の情報の送信を、通信部２２を介して上記応答要求の終了の情報を受信した後であって、操作部２１で初期操作入力があり、監視手段から通信に入れる監視結果が得られた後に行うことを特徴とする。
【００５０】
次に、実施形態３の特徴となる副親機２に対するアドレス自動設定の動作について、図８及び図６を参照しながら説明する。ただし、通信はポーリング／セレクティング方式で行われるとして、その概略を説明する。
【００５１】
親機１において、例えば、操作部１１でアドレス確認操作入力があると（図８のＭ１１で有）、ＲＯＭ１６から、順次、設定されたアドレスが読み出され、そのアドレスおよび応答要求の情報が、通信部１２を介して送信される（Ｍ１２）。
【００５２】
この後、アドレス設定済みの各副親機２において、通信部２２を介して、親機１からの自己のアドレスおよび応答要求の情報が受信されると、そのアドレスおよび応答の情報が送信される。
【００５３】
この後、親機１において、ＲＯＭ１６から、設定されたアドレスが全て読み出されて送信された後に（Ｍ１３でＹｅｓ）、上記応答要求の終了の情報が、通信部１２を介して同報通信で送信される（Ｍ１４）。なお、この場合、副親機２からアドレスおよび応答の情報が送信されて来なければ、その副親機２のアドレスに対応付けて通信不可の情報をＲＯＭ１６に記憶するようにしてもよい。
【００５４】
この後、アドレス未設定の副親機２において（Ｓ１０でＮｏ）、操作部２１で初期操作入力（例えば電源投入操作入力）があり（図６のＳ１１で有）、監視機能から通信に入れる監視結果が得られた後（Ｓ１２で可）、通信部２２を介して、ＲＯＭ２６に記憶された自己のアドレスおよび通信要求の情報が親機１に送信される（Ｓ１３）。他の副親機２（図示しないドアホン子器も）では、この監視機能で通信に入れる監視結果が得られなくなるため、本アドレス自動設定の動作が終了するまで待機状態となる。
【００５５】
その後、親機１において、通信部１２を介して、送信元（副親機２）から、その送信元のアドレスおよび通信要求の情報が受信されると、その送信元のアドレスおよび通信要求に対する許諾の情報が送信される（Ｍ１５）。
【００５６】
この後、副親機２において、通信部２２を介して、親機１からの自己のアドレスおよび通信要求に対する許諾の情報が受信されると、自己のアドレスおよびアドレス設定要求の情報が親機１に送信される（Ｓ１４）。
【００５７】
この後、親機１において、通信部１２を介して、上記送信元から、送信元のアドレスおよびアドレス設定要求の情報が受信されると、送信元のアドレスがＲＯＭ１６に記憶設定される（Ｍ１６）。続いて、送信元のアドレスおよび設定完了通知の情報が送信される（Ｍ１７）。
【００５８】
この後、副親機２において、通信部２２を介して、親機１からの自己のアドレスおよび設定完了通知の情報が受信されると、その設定完了通知の情報がＲＯＭ２６に記憶される（Ｓ１５）。これにより、本アドレス自動設定の動作が終了する。
【００５９】
以上のように、副親機２は、応答要求の終了の情報を受信した場合に、その情報の受信前に自己のアドレスを親機１から受信していなければ、自己のアドレスが親機１に設定されていないことを認識することができるので、速やかにアドレスを設定するための動作に移ることが可能になる。また、副親機２を後付する場合にも設定が簡単となる。
【００６０】
なお、実施形態３では、ポーリング／セレクティング方式であるとしたが、これに限らず、コンテンション方式などの他の方式にも適用可能であり、同様の効果を得ることができる。
【００６１】
（実施形態４）
本発明による実施形態４の通信システムは、実施形態１〜３のいずれかとの相違点として、副親機２が、自己のアドレスに加えて、そのアドレスと代替される別の識別情報を呼称でＲＯＭ２６に記憶していることを特徴とする。
【００６２】
例えば、副親機２の設置場所、副親機２の占有者などの固有の呼称を入力する操作を操作部２１で行えば、その呼称が、ＲＯＭ２６に記憶され、通信部２２を介してＲＯＭ２６に記憶されているアドレスとともに送信される。そして、それら呼称およびアドレスが親機１に受信されると、その呼称がそのアドレスに対応付けられ、そのアドレスと代替されるものとしてＲＯＭ２６に記憶される。
【００６３】
これにより、一の副親機２が他の副親機２を呼び出す場合、他の副親機２のアドレスではなくその呼称を操作部２１で入力すれば、親機１を経由した通信が可能になる。この結果、操作が簡単になる。
【００６４】
（実施形態５）
本発明による実施形態５の通信システムは、ＲＯＭ１６に記憶されているプログラムと、制御部１０の一部処理機能と、ＲＯＭ２６に記憶されているプログラムと、制御部２０の一部処理機能とが実施形態１と相違している。
【００６５】
また、ＲＯＭ１６には、固有のアドレス、および設定または未設定の情報が複数組み記憶されている。一方、ＲＯＭ２６には、初期のアドレスがデフォルト値として記憶されている。
【００６６】
そして、制御部１０の上記一部処理機能としては、許諾機能によって情報が送信された後、通信部１２を介して、送信元から、その送信元のアドレスおよびアドレス設定要求の情報を受信すると、ＲＯＭ１６から未設定に対応付けられたアドレスを新アドレスとして読み出し、新アドレスおよび送信元のアドレスの情報を送信するアドレス割当機能と、このアドレス割当機能によって情報が送信された後、通信部１２を介して、新アドレスおよびこの設定完了通知の情報を受信すると、ＲＯＭ１６に記憶され、新アドレスに対応付けられた未設定を設定に変更する変更機能とが、実施形態１のアドレス設定機能と、設定完了通知機能とに代えて具備される。
【００６７】
制御部２０の上記一部処理機能としては、操作部２１で初期操作入力があると、監視機能から通信に入れる監視結果が得られた後、通信部２２を介して、ＲＯＭ２６に記憶された初期のアドレスおよび通信要求の情報を親機１に送信し、親機１から、初期のアドレスおよび通信要求に対する許諾の情報を受信すると、初期のアドレスおよびアドレス設定要求の情報を親機１に送信し、親機１から、新アドレスおよび初期のアドレスの情報を受信すると、初期のアドレスに代わるものとして新アドレスをＲＯＭ２６に記憶するアドレス設定機能と、通信部２２を介して、新アドレスおよびこの設定完了通知の情報を親機１に送信する設定完了通知機能とが、実施形態１のアドレス設定依頼機能と、設定完了機能とに代えて具備される。
【００６８】
次に、実施形態５の特徴となる副親機２に対するアドレス自動設定の動作について説明する。ただし、通信はポーリング／セレクティング方式で行われるとして、その概略を説明する。
【００６９】
例えば、施工後の副親機２において、操作部２１で初期操作入力（例えば電源投入操作入力）があったか否かの判別が行われる。この判定は、ＲＯＭ２６において、初期のアドレスに代わるものとして新アドレスが記憶されているか否かを見ることで行われる。例えば、初期アドレス用の記憶領域に記憶されている初期のアドレスに代わるものとして、新アドレス用の記憶領域に新アドレスが記憶されていれば、初期操作入力でないと判定され、本アドレス自動設定の動作が終了する。一方、新アドレス用の記憶領域に新アドレスが記憶されていなければ、初期操作入力であると判定され、監視機能から通信に入れる監視結果が得られるか否かの確認が行われる。通信に入れる監視結果が得られなければ、それが得られるまで待機する。一方、通信に入れる監視結果が得られれば、通信部２２を介して、初期のアドレスおよび通信要求の情報が親機１に送信される。なお、他の副親機２（図示しないドアホン子器も）では、この監視機能で通信に入れる監視結果が得られなくなるため、本アドレス自動設定の動作が終了するまで待機状態となる。
【００７０】
その後、親機１において、通信部１２を介して、上記副親機２からの送信元のアドレス（初期のアドレス）および通信要求の情報が受信されると、その送信元のアドレスおよび通信要求に対する応答の情報が送信される。
【００７１】
この後、副親機２において、通信部２２を介して、親機１からの初期のアドレスおよび通信要求に対する応答の情報が受信されると、初期のアドレスおよびアドレス設定要求の情報が親機１に送信される。
【００７２】
この後、親機１において、通信部１２を介して、上記送信元のアドレス（初期のアドレス）およびアドレス設定要求の情報が受信されると、ＲＯＭ１６から未設定に対応付けられたアドレスが新アドレスとして読み出され、新アドレスおよび送信元のアドレス（初期のアドレス）の情報が送信される。
【００７３】
この後、副親機２において、通信部２２を介して、親機１からの新アドレスおよび初期のアドレスの情報が受信されると、初期のアドレスに代わるものとして新アドレスがＲＯＭ２６に記憶される。続いて、通信部２２を介して、新アドレスおよびこの設定完了通知の情報が親機１に送信される。
【００７４】
この後、親機１において、通信部１２を介して、新アドレスおよびこの設定完了通知の情報が受信されると、ＲＯＭ１６に記憶され、新アドレスに対応付けられた未設定が設定に変更される。これにより、副親機２に対するアドレス自動設定の動作が終了する。
【００７５】
以上のように、初期操作入力をトリガとして、親機１と副親機２との間で通信を行い、副親機２が親機１に対してアドレス設定要求をし、親機１が副親機２に新アドレスを割り当てるようにすることにより、アドレス設定に要する時間を短縮することが可能となる。
【００７６】
【発明の効果】
本発明によれば、アドレス設定に要する時間を短縮することが可能となる。
【図面の簡単な説明】
【図１】本発明による実施形態１の通信システムの一部を示す構成図である。
【図２】同通信システムにおける親機の構成図である。
【図３】同通信システムにおける副親機の構成図である。
【図４】同通信システムにおける副親機にアドレス管理装置を接続した様子を示す図である。
【図５】同アドレス管理装置の構成図である。
【図６】本通信システムの一動作例を示す図である。
【図７】本発明による実施形態２の通信システムの一動作例を示す図である。
【図８】本発明による実施形態３の通信システムの一動作例を示す図である。
【符号の説明】
１  親機
１０
１１  操作部
１２  通信部
１３  音声入出力部
１４  映像処理回路部
１５  表示部
１６  ＲＯＭ
２  副親機
２０  制御部
２１  操作部
２２  通信部
２３  音声入出力部
２５  表示部
２６  ＲＯＭ
【図１】
2004357245.tif 000003
【図２】
2004357245.tif 000004
【図３】
2004357245.tif 000005
【図４】
2004357245.tif 000006
【図５】
2004357245.tif 000007
【図６】
2004357245.tif 000008
【図７】
2004357245.tif 000009
【図８】
2004357245.tif 000010